(57)【要約】【課題】螺合する形式と係止する形式の両方の採血用ホルダーに対応するアダプターであっても、係止する形式の採血用ホルダーに対してアダプターの回転を規制すること。【解決手段】アダプター２０は、有底中空筒状体の採血用ホルダー３の底部７に設けられ貫通孔９が形成された装着部４に、装着される。  アダプター２０は、人体から採血する翼状針４０に接続可能で採血した血液が流れる中空の本体部２１と、該本体部２１の基端側に設けられ装着部４の先端面８に当接するフランジ部２２と、該フランジ部２２から本体部２１と反対方向に延設され装着部４の貫通孔９に挿入される円筒状の突出部２３とを備える。該突出部２３の外周には、フランジ部２２側から雄ねじ部２７が形成され、該雄ねじ部２７の先端よりも基端側の周方向の一部が切り欠かれた切欠き部２６が形成されている。【選択図】図５
2018198740.tif 000002
【特許請求の範囲】
【請求項１】
有底中空筒状体の採血用ホルダーの底部に設けられ貫通孔が形成された装着部に、装着されるアダプターであって、
前記アダプターは、人体から採血する採血具に接続可能で採血した血液が流れる中空の本体部と、該本体部の基端側に設けられ前記装着部の先端面に当接するフランジ部と、該フランジ部から前記本体部と反対方向に延設され前記装着部の前記貫通孔に挿入される円筒状の突出部とを備え、
該突出部の外周には、前記フランジ部側から雄ねじ部が形成され、
該雄ねじ部の先端よりも基端側の周方向の一部が切り欠かれた切欠き部が形成されていることを特徴とするアダプター。
【請求項２】
請求項１に記載のアダプターであって、
前記切欠き部は、前記突出部の軸に沿って溝状に形成された凹部であることを特徴とするアダプター。
【発明の詳細な説明】
【技術分野】
【０００１】
本発明は、アダプターに関する。
【背景技術】
【０００２】
従来、血液検査などで血液試料を採取する際には、採血用キットが使用される。採血用キットは、採血具で人体から採血し、この採血した血液試料を採血用ホルダーに取付けた真空採血管に貯留するものであり、採血具と、この採血具が接続されるアダプターと、該アダプターが装着される採血用ホルダーと、真空採血管とを備える。採血用ホルダーへのアダプターの装着は、アダプターに形成した雄ねじを採血用ホルダーに形成した雌ねじに螺合する形式と、採血用ホルダーに設けた係止部材をアダプターに形成した溝部に嵌め込んで係止する形式がある。このような螺合する形式と係止する形式の両方に対応するアダプターが提案されている（例えば、特許文献１参照）。
【先行技術文献】
【特許文献】
【０００３】
【特許文献１】特開２００３−２４５２６７号公報
【発明の概要】
【発明が解決しようとする課題】
【０００４】
この従来のアダプターは、略円筒状の本体部から基端方向に雄ねじが延設され、雄ねじの根本に環状溝部が形成されている。これにより、採血用ホルダーが螺合する形式の場合、採血用ホルダーの装着部に形成された雌ねじにアダプターの雄ねじが螺合され、他方、採血用ホルダーが係止する形式の場合、採血用ホルダーの装着部に設けられた係止部材がアダプターの環状溝部に係止されることで、アダプターが採血用ホルダーに装着される。
【０００５】
ところで、採血針は人体につながるため、採血時、採血針は固定された状態で維持されると好ましい。しかし、従来のアダプターは、環状溝部に採血用ホルダーの係止部材が係止されているだけなので、アダプターが採血用ホルダーに対して回転するおそれがある。
【０００６】
本発明は、以上の点に鑑み、螺合する形式と係止する形式の両方の採血用ホルダーに対応するアダプターであっても、係止する形式の採血用ホルダーに対してアダプターの回転を規制することができるアダプターを提供することを課題とする。
【課題を解決するための手段】
【０００７】
[１]上記目的を達成するため、本発明のアダプターは、
有底中空筒状体の採血用ホルダーの底部に設けられ貫通孔が形成された装着部に、装着されるアダプターであって、
前記アダプターは、人体から採血する採血具に接続可能で採血した血液が流れる中空の本体部と、該本体部の基端側に設けられ前記装着部の先端面に当接するフランジ部と、該フランジ部から前記本体部と反対方向に延設され前記装着部の前記貫通孔に挿入される円筒状突出部とを備え、
該突出部の外周には、前記フランジ部側から雄ねじ部が形成され、
該雄ねじ部の先端よりも基端側の周方向の一部が切り欠かれた切欠き部が形成されていることを特徴とする。
【０００８】
本発明によれば、突出部を採血用ホルダーの装着部の貫通孔に挿入し、フランジ部を装着部の先端面に当接させる。螺合する形式の採血用ホルダーにアダプターを装着する場合、突出部は雄ねじ部を有するので、採血用ホルダーの雌ねじ部に雄ねじ部を螺合させることができる。
【０００９】
また、係止する形式の採血用ホルダーにアダプターを装着する場合、雄ねじ部には該雄ねじ部の先端よりも基端側に切欠き部が形成されているので、付勢部材によって付勢された係止部材を、切欠き部に嵌め込んで突出部を係止することができる。さらに、切欠き部は雄ねじ部の周方向の一部に形成されるので、係止部材が切欠き部に嵌ると、切欠き部周囲の雄ねじ部のねじ山により係止部材の移動が規制される。このため、装着部に対する突出部の回転が抑制される。
【００１０】
結果、螺合する形式と係止する形式の両方の採血用ホルダーに対応するアダプターであっても、係止する形式の採血用ホルダーの場合もアダプターの回転を規制することができる。
【００１１】
[２]また、本発明においては、前記切欠き部は、前記突出部の軸に沿って溝状に形成された凹部であることが好ましい。突出部の軸に沿った溝状の凹部であれば、係止部材が凹部に導かれることで、凹部周囲の雄ねじ部のねじ山と係止部材との間の隙間が小さくなるので、突出部の回転方向へのいわゆるガタツキをなくしてアダプターを完全に回転しないようにできる。
【図面の簡単な説明】
【００１２】
【図１】本実施形態の採血用キットを示す説明図。
【図２】図１に示すアダプターの側面図。
【図３】図２に示すアダプターのＩＩＩ−ＩＩＩ線断面図。
【図４】図２に示すアダプターを螺合する形式の採血用ホルダーに装着する作用図。
【図５】図５Ａはアダプターを係止する形式の採血用ホルダーに挿入し始めた状態を説明する図である。図５Ｂはアダプターを係止する形式の採血用ホルダーに装着した状態を説明する図である。
【図６】図５Ｂに示す採血用キットのＶＩ−ＶＩ線断面図。
【発明を実施するための形態】
【００１３】
図を参照して、本発明の実施形態の採血用キット１を詳しく説明する。図１に示すように、採血用キット１は、採血具（以下、翼状針という。）４０で人体から採血し、この採血した血液を採血用ホルダー３に取付けた真空採血管２に貯留するものである。
【００１４】
採血用キット１は、血液を貯留する真空採血管２が取付けられる有底中空筒状体の採血用ホルダー３と、該採血用ホルダー３の底部７に設けられた装着部４に取付けられるアダプター２０と、該アダプター２０に接続されるコネクタ３０と、該コネクタ３０から延びる可撓性チューブ３１と、該可撓性チューブ３１に接続される翼状針４０とを備えている。
【００１５】
アダプター２０には、針基２５に針管３２が設けられている。該針管３２は、アダプター２０を採血用ホルダー３に装着するまで針管３２を保護するためのゴムスリーブ（不図示）で覆われている。別体となっていたアダプター２０を、採血用ホルダー３に取付ける際は、針管３２がゴムスリーブで覆われた状態で取付けられる。アダプター２０を採血用ホルダー３に取付けた後に、針管３２に突き刺す状態で真空採血管２が採血用ホルダー３に取付けられる。
【００１６】
翼状針４０は、前端が鋭利な針管４１を支持するハブ４２と、ハブ４２に外嵌された１対の翼状部材４３とを備える。
【００１７】
次にアダプター２０について説明する。
図２に示すように、アダプター２０は、コネクタ３０（図１参照）を介して翼状針４０（図１参照）に接続可能で採血した血液が流れる中空の本体部２１と、該本体部２１の基端側に設けられ装着部４（図４参照）の先端面８に当接するフランジ部２２と、該フランジ部２２から本体部２１と反対方向に延設され装着部４の貫通孔（図４参照）に挿入される円筒状の突出部２３とを備えている。本体部２１は、接続口が直径４ミリの円形で６／１００のテーパとなるルアーテーパ形状である。本実施形態では、本体部２１をルアーテーパ形状としたが、円筒状や任意のテーパ形状としてもよい。
【００１８】
突出部２３の先端側には、ゴムスリーブが嵌合されるゴムスリーブ嵌合部２４が形成され、該ゴムスリーブ嵌合部２４の先端側には、装着部４に突出部２３を挿入する際に突出部２３をガイドするためにテーパ状を成す針基２５が形成されている。突出部２３の外周には、該突出部２３の軸に沿って溝状を成す切欠き部２６が形成されている。
【００１９】
詳細には、突出部２３の外周には、雄ねじ部２７が形成され、該雄ねじ部２７の先端よりも基端側（フランジ部側）の周方向の一部が切り欠かれた切欠き部２６が形成されている。なお、切欠き部２６は、突出部２３の外周の周方向に雄ねじ部２７が一部でもあれば、突出部２３の外周の半分以下だけでなく、半分以上切り欠かれていてもよい。また、切欠き部２６は、断面Ｖ字形状や、ピンが嵌る丸孔等、係止部材が嵌って係止できれば形状は問わない。
【００２０】
実施形態では、切欠き部２６は、突出部２３の軸に沿って溝状を成す複数の凹部である。以下、切欠き部２６を、凹部２６という。
【００２１】
本実施形態では、軸に沿って溝状を成す凹部２６をフランジ部２２の端部から形成したが、これに限定されず、凹部２６よりも針基２５側に雄ねじ部２７のねじ山が存在すれば、凹部２６を係止する係止部材１１（図５参照）が、雄ねじ部２７のねじ山によって軸方向への移動が規制されてアダプター２０が採血用ホルダー３から抜けないので、軸に沿って溝状を成す凹部２６を雄ねじ部２７の軸方向の途中に形成してもよい。
【００２２】
本体部２１とフランジ部２２との間には、２つのリブ２８が形成されている。本実施形態では、リブ２８を２つとしたが、これに限定されず、コネクタ３０（図１参照）をアダプター２０に接続する際にコネクタ３０をガイドできれば４つ等でもよく、更には本体部２１及びフランジ部２２が適切な強度を有すればリブ２８はなくても差し支えない。
【００２３】
図３に示すように、アダプター２０には針管３２を挿入する貫通孔２９が形成されている。凹部２６は軸側に湾曲するように凹んだ溝形状を成している。本実施形態では、凹部２６を軸側に湾曲するように凹んだ溝形状としたが、これに限定されず、雄ねじ部２７の山の頂に対して凹み、係止部材１１（図５参照）で凹部２６を係止できれば凹部２６の底は平面であってもよい。
【００２４】
凹部２６は、突出部２３の外周を４等分する位置に設けられている。なお、本実施形態では、雄ねじ部２７に凹部２６を４つ形成したが、凹部２６は２つ等複数でもよく、さらには１つであっても差し支えない。また、凹部２６を複数設ける場合は、突出部２３の外周を等分する位置ではなく、不均一となる位置に設けてもよい。
【００２５】
次に螺合する形式の装着部４を有する採血用ホルダー３と、該採血用ホルダー３へのアダプター２０の取付けを説明する。
図４に示すように、採血用ホルダー３は、有底中空円筒状体のホルダー本体部５と、ホルダー本体部５の底部７に設けられ貫通孔９が形成された装着部４とを備えている。装着部４には、アダプター２０を挿入する部分に雌ねじ部６が形成されている。
【００２６】
雌ねじ部６に、アダプター２０の雄ねじ部２７を螺合し、装着部４の先端面８にフランジ部２２を当接することで、装着部４にアダプターの突出部２３が取付けられる。螺合式の装着部４にアダプター２０を取付ける場合、必要以上の嵌合強度を得るためには、相応のねじ山の数が必要となり、雄ねじ部２７のねじ部の長さは一定の長さが必要になる。
【００２７】
ここで、従来技術のアダプターでは、本体部の端面から環状溝部を形成し、該環状溝部の先端側から雄ねじを足すようにして形成しているため、本体部の端面から雄ねじの先端までの長さが大きくなる。さらに、採血用ホルダー側の雌ねじが、アダプターの環状溝部に対応する位置にのみ存在する場合、アダプターの雄ねじを締め切ることができず接続が不可能となる。
【００２８】
この点、本発明では、フランジ部２２の端面から雄ねじ部２７を形成しているため、従来技術に比較して、フランジ部２２の端面から雄ねじ部２７の先端までの長さを小さくすることができる。このため、本発明のアダプター２０は、螺合する形式と係止する形式の採血用ホルダー３の両方に対応すると共に、アダプター２０の長さを小さくすることができる。さらに、雄ねじ部２７はフランジ部２２の端面から形成されているので、仮に採血用ホルダー３側の雌ねじ部６が、凹部２６に対応する位置のみに雌ねじ部６に形成されていても、雄ねじ部２７を締め切ることができる。
【００２９】
次に係止する形式の装着部４を有する採血用ホルダー３について説明する。
図５Ａに示すように、採血用ホルダー３は、有底中空円筒状体のホルダー本体部５と、ホルダー本体部５の底部７に設けられた装着部４とを備えている。以下、装着部４を、概念的に表現した図で説明する。
【００３０】
装着部４は、底部７から採血用ホルダー３の外方に突出するように形成された土台１３と、該土台１３に形成され係止部材１１を移動可能に支持するガイド孔１４と、該ガイド孔１４に通されると共に直径方向に移動可能に設けられ凹部２６に嵌って突出部２３を係止する１対の係止部材１１と、該１対の係止部材１１の爪部１６をそれぞれ軸側に付勢する付勢部材１２とを備えている。
【００３１】
係止部材１１は、ガイド孔１４に移動可能に支持される係止本体部１５と、係止本体部１５の先端に形成され凹部２６に嵌る爪部１６と、係止本体部１５の爪部１６と反対側から土台１３を迂回するように延設され側面視Ｕ字状に折り返される迂回部材１７とを備えている。
【００３２】
付勢部材１２は、土台１３に設けられたばね座１８に支持された圧縮ばねである。突出部２３の軸に対して爪部１６の反対側に位置する迂回部材１７の一部分を付勢することで、爪部１６が軸側に付勢される。
【００３３】
次に係止する形式の採血用ホルダー３へのアダプター２０の取付けを説明する。
アダプター２０の針基２５には針管３２が設けられており、該針管３２はゴムスリーブ３３で覆われている。アダプター２０の突出部２３を、矢印（１）のように採血用ホルダー３の装着部４の貫通孔９に挿入する。１対の係止部材１１が、ゴムスリーブ３３及び突出部２３の雄ねじ部２７によって、矢印（２）のように押し広げられる。
【００３４】
図５Ｂに示すように、アダプター２０の突出部２３を、装着部４の貫通孔９にさらに挿入すると、フランジ部２２が装着部４の先端面８に当接する。付勢部材１２によって軸側に付勢された係止部材１１の爪部１６が、凹部２６に嵌り突出部２３を係止する。雄ねじ部２７において、係止部材１１の爪部１６よりも先端側に雄ねじ部２７のねじ山があるため、係止部材１１の爪部１６の軸方向への移動が規制されてストッパーの役割を果たし、アダプター２０が採血用ホルダー３から抜けることを防止できる。
【００３５】
採血用ホルダー３において、装着部４は、直径方向に移動可能に設けられ凹部（切欠き部）２６に嵌って突出部２３を係止する係止部材１１と、該係止部材１１を軸側に付勢する付勢部材１２とを備え、付勢部材１２によって付勢された係止部材１１が、装着部４に挿入された突出部２３の切欠き部２６に嵌って雄ねじ部２７のねじ山に接することで突出部２３を係止し、突出部２３の回転が規制される。
【００３６】
図６に示すように、凹部２６は雄ねじ部２７の周方向の一部に形成されるので、係止部材１１の爪部１６が凹部２６に嵌ると、凹部２６周囲の雄ねじ部２７のねじ山により相対的に係止部材１１の移動が規制される。このため、装着部４に対する突出部２３の回転が抑制される。
【００３７】
また、突出部２３の軸に沿った溝状の凹部２６であれば、係止部材１１の爪部１６が凹部２６に導かれることで、凹部２６周囲の雄ねじ部２７のねじ山と係止部材１１の爪部１６との間の隙間が小さくなるので、突出部２３の回転方向へのいわゆるガタツキをなくしてアダプター２０を完全に回転しないようにできる。さらに、凹部２６の図奥側（突出部２３の先端側）且つ爪部１６よりも図奥側には、かくれ線で示す雄ねじ部２７の先端側がありストッパーの役割を果たすので、突出部２３が装着部４から抜けることを防止できる。
【００３８】
また、凹部２６は軸側に滑らかに湾曲するように凹んでいる。他方、実施形態では、係止部材１１の爪部１６の凹部２６に当接する部分は角部１９になっているが、この角部１９を凹部２６の曲面に沿って対応する形状を成す誘導曲面部としてもよい。
【００３９】
角部１９を誘導曲面部とすることにより、装着部４にアダプター２０の突出部２３を挿入した際に、仮に爪部１６が凹部２６に嵌らずに雄ねじ部２７のねじ山に乗り上げても、付勢部材１２によって係止部材１１が軸側に付勢されることで、誘導曲面部１９の曲面が雄ねじ部２７のねじ山の外周（山の頂）を摺動させて突出部２３が矢印（４）のように回転し、誘導曲面部１９が凹部２６に嵌る。このように誘導曲面部１９によって、突出部２３の凹部２６を、誘導曲面部１９に嵌るように誘導することができる。結果、採血用ホルダー３に対するアダプター２０の回転を規制することができる。
【００４０】
また、実施形態では、係止部材１１は、１つの係止本体部１５に２つの爪部１６が設けられ、平面視Ｕ字状を成している。このような平面視Ｕ字状の係止部材１１を２つ設け、１対の係止部材１１とすることで、突出部２３を挟み込んで４つの凹部２６を係止することができる。
【００４１】
以上に述べたように、本発明のアダプター２０であれば、螺合する形式及び係止する形式の両方の採血用ホルダー３に対応することができ、係止する形式の採血用ホルダー３の場合もアダプター２０の回転を規制することができる。
【００４２】
なお、本実施形態では、付勢部材１２と係止部材１１を別体としたが、弾性を有する樹脂製の部品で一体に設けても差し支えない。係止する形式の装着部４は、図５に示した形態に限定されず、アダプター２０の切欠き部（凹部）２６を係止できれば、形態は問わない。また、本実施形態では、採血具４０を翼状針としたが、これに限定されず、採血できれば１本の針管であってもよい。
【符号の説明】
【００４３】
３  採血用ホルダー
４  装着部
７  底部
８  先端面
９  貫通孔
２０  アダプター
２１  本体部
２２  フランジ部
２３  突出部
２６  切欠き部（凹部）
２７  雄ねじ部
４０  採血具（翼状針、針管）
【図１】
2018198740.tif 000003
【図２】
2018198740.tif 000004
【図３】
2018198740.tif 000005
【図４】
2018198740.tif 000006
【図５】
2018198740.tif 000007
【図６】
2018198740.tif 000008